(57)【要約】【課題】本発明は、免震装置上に立てる柱の施工性を向上させることを目的とする。【解決手段】免震基礎の施工方法は、基礎スラブ１４に設置された免震装置１８の上に、柱９０と連結されるアンカーボルト６０が設けられたプレキャストコンクリート製のフーチング１０を設置するフーチング設置工程と、フーチング１０の上に、上端からアンカーボルト６０が露出するようにコンクリートを打設して基礎梁８０を構築する上部基礎構築工程と、を含んでいる。【選択図】図５
2014095201.tif 000002
【特許請求の範囲】
【請求項１】
下部基礎に設置された免震装置の上に、柱と連結されるアンカー部材、又は前記柱を構成する柱部材が設けられたプレキャストコンクリート製のフーチングを設置するフーチング設置工程と、
前記フーチングの上に、上端から前記アンカー部材又は前記柱部材が露出するようにコンクリートを打設して上部基礎を構築する上部基礎構築工程と、
を含む免震基礎の施工方法。
【請求項２】
前記フーチング設置工程の前に、前記アンカー部材又は前記柱部材の周囲に、前記上部基礎としての基礎梁の梁主筋を配筋する梁主筋配筋工程を含む、
請求項１に記載の免震基礎の施工方法。
【請求項３】
前記フーチング設置工程の前に、前記フーチングを製作するフーチング製作工程を含み、
前記フーチング製作工程では、前記アンカー部材又は前記柱部材の周囲に、上方が開口した複数のＵ字状補強筋を平面視にて格子状に配筋すると共に前記Ｕ字状補強筋が上面から突出するように前記フーチング用のコンクリートを打設した後に、前記Ｕ字状補強筋における開口側端部間に上部補強筋を渡す、
請求項１又は請求項２に記載の免震基礎の施工方法。
【請求項４】
免震装置の上部フランジに固定される固定面が形成されたコンクリート部と、
前記コンクリート部に設けられ、柱が連結されるアンカー部材、又は前記柱を構成する柱部材と、
前記アンカー部材又は前記柱部材の周囲に配筋された基礎梁の梁主筋と、
を備えたプレキャストコンクリートフーチング。
【発明の詳細な説明】
【技術分野】
【０００１】
本発明は、免震基礎の施工方法及びプレキャストコンクリートフーチングに関する。
【背景技術】
【０００２】
積層ゴムの上部フランジに、上面から複数のアンカー部材が突出したプレキャスト製のＰＣａ盤を載置して連結した後、ＰＣａ盤の上にコンクリートを打設して上部基礎を構築する免震基礎の施工方法が知られている（例えば、特許文献１参照）。
【先行技術文献】
【特許文献】
【０００３】
【特許文献１】特開２０１２−０６７５２４号公報
【発明の概要】
【発明が解決しようとする課題】
【０００４】
しかしながら、特許文献１に開示された技術では、免震装置上に柱を立てる場合、上部基礎に後施工アンカー等を打ち込んだり、上部基礎の施工時に柱用のアンカー等を組み込んだりする必要があるため、柱の施工に手間がかかる。
【０００５】
本発明は、上記の事実を考慮し、免震装置上に立てる柱の施工性を向上させることを目的とする。
【課題を解決するための手段】
【０００６】
請求項１に記載の免震基礎の施工方法は、下部基礎に設置された免震装置の上に、柱と連結されるアンカー部材、又は前記柱を構成する柱部材が設けられたプレキャストコンクリート製のフーチングを設置するフーチング設置工程と、前記フーチングの上に、上端から前記アンカー部材又は前記柱部材が露出するようにコンクリートを打設して上部基礎を構築する上部基礎構築工程と、を含んでいる。
【０００７】
請求項１に係る免震基礎の施工方法によれば、先ず、フーチング設置工程において、下部基礎に設置された免震装置の上に、柱と連結されるアンカー部材、又は柱を構成する柱部材が設けられたプレキャストコンクリート製のフーチングを設置する。次に、上部基礎構築工程において、フーチングの上にコンクリートを打設し、上端からアンカー部材又は柱部材が露出するように上部基礎を構築する。
【０００８】
これにより、免震装置上に柱を立てる場合に、上部基礎の上端から露出したアンカー部材に柱を連結し、又は柱部材に他の柱部材を連結することにより、免震装置上に柱を立てることができる。したがって、施工性が向上する。
【０００９】
また、アンカー部材又は柱部材が設けられたプレキャストコンクリート製のフーチングを用いたことにより、免震装置上でのフーチング用のコンクリート打設や、アンカー部材又は柱部材の組み込み作業等が不要になる。したがって、施工性がさらに向上する。
【００１０】
請求項２に記載の免震基礎の施工方法は、請求項１に記載の免震基礎の施工方法において、前記フーチング設置工程の前に、前記アンカー部材又は前記柱部材の周囲に、前記上部基礎としての基礎梁の梁主筋を配筋する梁主筋配筋工程を含んでいる。
【００１１】
請求項２に係る免震基礎の施工方法によれば、フーチング設置工程の前の梁主筋配筋工程において、フーチングに設けられたアンカー部材又は柱部材の周囲に、上部基礎としての基礎梁の梁主筋を配筋する。
【００１２】
これにより、免震装置上での梁主筋の配筋作業が不要になるため、施工性がさらに向上する。また、例えば、広い作業台等の上で、基礎梁の梁主筋を配筋することにより、梁主筋の配筋精度が向上する。
【００１３】
請求項３に記載の免震基礎の施工方法は、請求項１又は請求項２に記載の免震基礎の施工方法において、前記フーチング設置工程の前に、前記フーチングを製作するフーチング製作工程を含み、前記フーチング製作工程では、前記アンカー部材又は前記柱部材の周囲に、上方が開口した複数のＵ字状補強筋を平面視にて格子状に配筋すると共に前記Ｕ字状補強筋が上面から突出するように前記フーチング用のコンクリートを打設した後に、前記Ｕ字状補強筋における開口側端部間に上部補強筋を渡す。
【００１４】
請求項３に係る免震基礎の施工方法によれば、フーチング設置工程の前のフーチング製作工程において、アンカー部材又は柱部材の周囲に、上方が開口した複数のＵ字状補強筋を平面視にて格子状に配筋すると共にこれらのＵ字状補強筋が上面から突出するようにフーチング用のコンクリートを打設する。その後、フーチングの上面から突出するＵ字状補強筋における開口側端部間に上部補強筋を渡す。
【００１５】
このように上方が開口したＵ字状補強筋を用いたことにより、開口から作業者が手を入れ易くなる。したがって、下方が開口したＵ字状補強筋を用いた場合と比較して、Ｕ字状補強筋の配筋作業が容易となる。
【００１６】
また、Ｕ字状補強筋における開口側端部間に上部補強筋を渡して枠状にすることにより、フーチング及び上部基礎に対する補強効果が向上する。
【００１７】
さらに、フーチング用のコンクリートを打設した後に、Ｕ字状補強筋における開口側端部間に上部補強筋を渡すことにより、フーチング用のコンクリートを打設した後でも、Ｕ字状補強筋の開口側端部の位置調整等を容易に行うことができる。
【００１８】
請求項４に記載のプレキャストコンクリートフーチングは、免震装置の上部フランジに固定される固定面が形成されたコンクリート部と、前記コンクリート部に設けられ、柱が連結されるアンカー部材、又は前記柱を構成する柱部材と、前記アンカー部材又は前記柱部材の周囲に配筋された基礎梁の梁主筋と、を備えている。
【００１９】
請求項４に係るプレキャストコンクリートフーチングによれば、コンクリート部に、柱が連結されるアンカー部材、又は柱を構成する柱部材を設けると共に、アンカー部材又は柱部材の周囲に基礎梁の梁主筋を配筋しておくことにより、免震装置上でのアンカー部材又は柱部材の組み込み作業や基礎梁の梁主筋の配筋作業が不要になる。したがって、施工性が向上する。
【発明の効果】
【００２０】
本発明は、上記の構成としたので、免震装置上に立てる柱の施工性を向上させることができる。
【図面の簡単な説明】
【００２１】
【図１】本発明の一実施形態における作業台、ベースプレート、架台、アンカーボルトを示す分解立面図である。
【図２】図１に示されるベースプレートを示す平面図である。
【図３】本発明の一実施形態におけるＵ字状補強筋及び上部補強筋を示す分解立面図である。
【図４】本発明の一実施形態における基礎梁の上下の梁主筋及びせん断補強筋を示す立面図である。
【図５】本発明の一実施形態に係るフーチングを免震装置の上に設置する前の状態を示す立面図である。
【図６】本発明の一実施形態に係るフーチングを免震装置の上に設置した後の状態、及び基礎梁の仕口部の上に柱を立てた状態を示す立面図である。
【図７】本発明の一実施形態に係るフーチングの変形例を示す縦断面図である。
【発明を実施するための形態】
【００２２】
以下、図面を参照しながら、本発明の一実施形態に係る免震基礎の施工方法及びプレキャストコンクリートフーチングについて説明する。
【００２３】
本実施形態に係る免震基礎の施工方法は、フーチング製作工程と、梁主筋配筋工程と、フーチング設置工程と、上部基礎構築工程とを含んでいる。
【００２４】
先ず、フーチング製作工程について説明する。フーチング製作工程では、プレキャストコンクリート製のプレキャストコンクリートフーチング（以下、単に「フーチング」という）１０を製作する。本実施形態に係るフーチング１０は、図６に示されるように、基礎梁８０の下面から突出するコンクリート部１２と、コンクリート部１２の下面に設けられたベースプレート３０と、コンクリート部１２の上面に設けられた複数のアンカー部材としての複数のアンカーボルト６０と、複数のアンカーボルト６０の周囲に配筋された上下の梁主筋８２Ａ，８２Ｂ（図５参照）とを備えている。このフーチング１０は、例えば、敷地内に確保した作業スペース（サイトヤード）において製作する。なお、フーチング１０は、工場等で製作することも可能である。
【００２５】
具体的には、先ず、図１に示されるように、作業スペースに、足場を構成する作業台２０を略水平に設置する。作業台２０は、水平レベルを確保すると共に、型枠としても機能するものである。この作業台２０は３枚のベニア板を積層して構成されており、その上面にベースプレート３０を収容する凹部２２が形成されている。凹部２２は、ベースプレート３０の形状及び大きさに応じて平面視にて略矩形に形成されると共に、その深さがベースプレート３０の板厚と略同じに設定されている。これにより、凹部２２にベースプレート３０を収容した状態で、ベースプレート３０の上面が作業台２０の上面と略面一になるようになっている。
【００２６】
次に、作業台２０の凹部２２内に、ベースプレート３０を嵌め込む。これにより、ベースプレート３０が略水平に配置されると共に、作業台２０に対してベースプレート３０が位置決められる。
【００２７】
なお、ベースプレート３０の大きさが異なる複数のフーチング１０を製作する場合は、最大のベースプレート３０の大きさに応じた凹部２２を作業台２０に形成し、小さいベースプレート３０を凹部２２に設置する場合には、ベースプレート３０と凹部２２との隙間を板状のスペーサ等で埋めても良い。また、作業台２０に複数の凹部２２を形成し、複数のフーチング１０を並行して製作することも可能である。
【００２８】
ベースプレート３０は、後述する免震装置１８の上部フランジ１８Ａに固定されるフーチング１０の固定面を形成するものであり、図２に示されるように、平面視にて矩形の鋼板で形成されている。このベースプレート３０の上面には、工場等において、中心位置が墨出し（芯出し）されると共に、吊り治具用ナット３２、免震装置用袋ナット３４、スタッド３６、及び架台用ブラケット（アングルピース）３８が溶接等により取り付けられている。これらの吊り治具用ナット３２、免震装置用袋ナット３４、スタッド３６、及び架台用ブラケット３８は、コンクリート部１２に下端部に埋設される。
【００２９】
複数の吊り治具用ナット３２は、図示しない揚重機等のワイヤーが連結される吊り治具４０（図１参照）が取り付けられる取付具であり、ベースプレート３０の四隅にそれぞれ取り付けられている。複数の免震装置用袋ナット３４は、ベースプレート３０を後述する免震装置１８の上部フランジ１８Ａに固定するボルト２４（図５参照）が締結される締結具であり、ベースプレート３０及び上部フランジ１８Ａに形成された図示しない複数のボルト孔に応じて円形に配列されている。複数のスタッド３６は、コンクリート部１２とベースプレート３０との一体性を高める定着具であり、円形に配列された複数の免震装置用袋ナット３４の内側に適宜配置されている。複数（本実施形態では、４つ）の架台用ブラケット３８は、後述する架台５０が取り付けられる取付具であり、円形に配列された免震装置用袋ナット３４の内側に配置されている。
【００３０】
次に、図１に示されるように、ベースプレート３０上の架台用ブラケット３８に、架台５０を取り付ける。支持部材としての架台５０は、アンカーボルト６０の取付高さを調整するものであり、平面視にて矩形の枠部５０Ａと、枠部５０Ａの角部をそれぞれ支持する４本の脚部５０Ｂとを有している。これらの脚部５０Ｂを架台用ブラケット３８に溶接等でそれぞれ取り付けることにより、ベースプレート３０に対して架台５０が位置決められる。
【００３１】
次に、架台５０に、複数（本実施形態では、８本）のアンカーボルト６０を立てた状態で取り付ける。複数のアンカーボルト６０は、後述する柱９０を基礎梁８０に固定するものであり、その上端部に柱用ベース６２がナット６４により取り付けられている。連結部材としての柱用ベース６２は平面視にて矩形の鋼板で形成されており、柱９０の柱脚部（下端部）が溶接等により接合されるようになっている。
【００３２】
また、複数のアンカーボルト６０の下端部には、平面にて矩形の下部枠体６６がナット６８により取り付けられている。この下部枠体６６を架台５０の枠部５０Ａの上に載置し、溶接や図示しないボルト等で接合することにより、複数のアンカーボルト６０が架台５０に取り付けられ、所定の高さで保持される。なお、アンカーボルト６０には、定着板等の定着具を適宜設けても良い。
【００３３】
次に、図３に示されるように、架台５０及びアンカーボルト６０の周囲に、上方が開口した複数のＵ字状補強筋７０を配筋する。複数のＵ字状補強筋７０は、鉄筋をＵ字形状に屈曲して形成されている。また、各Ｕ字状補強筋７０の開口側端部７０Ａには、内側へ折り返された折返し部７０Ｂが設けられている。この折返し部７０Ｂには、後述する上部補強筋７２の折返し部７２Ｂが連結される。これらのＵ字状補強筋７０を、開口を上に向けた状態で平面視にて格子状に配筋する。つまり、複数のＵ字状補強筋７０を上方が開口した籠状に配筋する。
【００３４】
次に、ベースプレート３０、架台５０、Ｕ字状補強筋７０を囲むように図示しない型枠を仮設すると共に、当該型枠内にフーチング１０用のコンクリートを打設し、コンクリート部１２を形成する。この際、フーチング１０用のコンクリートは、コンクリート部１２の上面から各Ｕ字状補強筋７０の上部が上方へ突出するように型枠内に打設する。そして、フーチング１０用のコンクリートを養生させ、コンクリート部１２を形成した後、図示しない型枠を撤去する。
【００３５】
次に、各Ｕ字状補強筋７０における開口側端部７０Ａ間に、上部補強筋７２をそれぞれ渡す。上部補強筋７２は、横方向に延びると共に、その両端部７２Ａが下方へ向けてそれぞれ屈曲されている。これらの両端部７２Ａの下端部には、内側へ折り返された折返し部７２Ｂが設けられている。この折返し部７２ＢをＵ字状補強筋７０の折返し部７０Ｂに重ねた状態で図示しない結束線等で結束することにより、上部補強筋７２をＵ字状補強筋７０に連結する。これにより、上部補強筋７２及びＵ字状補強筋７０によって枠状の基礎補強筋７４（図４参照）が形成される。
【００３６】
次に、梁主筋配筋工程について説明する。梁主筋配筋工程では、図４に示されるように、複数のアンカーボルト６０の周囲に、基礎梁８０（図６参照）の上下の梁主筋８２Ａ，８２Ｂの一部を配筋する。具体的には、アンカーボルト６０に対して左右両側から上下の梁主筋８２Ａ，８２Ｂをそれぞれ配筋し、フーチング１０の中央部で溶接等により接合すると共に、上下の梁主筋８２Ａ，８２Ｂの周囲にせん断補強筋８４を適宜配筋する。この際、上側の梁主筋８２Ａの端部を基礎補強筋７４の上に載置し、当該基礎補強筋７４によって上側の梁主筋８２Ａを支持する。つまり、本実施形態では、上側の梁主筋８２Ａの端部を支持する梁主筋用架台として基礎補強筋７４を利用している。なお、基礎補強筋７４とは別の梁主筋用架台を利用することも可能である。
【００３７】
次に、フーチング載置工程について説明する。フーチング載置工程では、図５に示されるように、図示しない揚重機等によってフーチング１０を吊り上げて移動し、基礎スラブ１４の上面から突出する下側フーチング１６上に設置された免震装置１８の上部フランジ１８Ａの上に設置する。この際、フーチング１０のベースプレート３０を免震装置１８の上部フランジ１８Ａの上に載置し、上部フランジ１８Ａ及びベースプレート３０を貫通するボルト２４を免震装置用袋ナット３４に締結する。これにより、フーチング１０の固定面を形成するベースプレート３０が免震装置１８の上部フランジ１８Ａに固定される。
【００３８】
なお、本実施形態では、基礎スラブ１４及び下側フーチング１６は、鉄筋コンクリート造とされている。また、免震装置１８は積層ゴム支承で構成されており、その下部フランジ１８Ｂが複数のボルト２６によって下部基礎としての下側フーチング１６の上面に固定されている。なお、免震装置１８は、積層ゴム支承に限らず、滑り支承、転がり支承等でも良い。
【００３９】
次に、上部基礎構築工程について説明する。上部基礎構築工程では、図６に示されるように、アンカーボルト６０及び上下の梁主筋８２Ａ，８２Ｂの周囲に図示しない型枠を仮設し、当該型枠内に基礎梁８０用のコンクリートを打設する。この際、基礎梁８０における柱９０との仕口部８０Ａの上端からアンカーボルト６０の上端部及び柱用ベース６２が露出するように、型枠内に基礎梁８０用のコンクリートを打設する。そして、基礎梁８０用のコンクリートを養生させ、基礎梁８０を構築した後、図示しない型枠を撤去する。
【００４０】
なお、本実施形態では、基礎梁８０における仕口部８０Ａの上面に凹部８６を形成し、当該凹部８６にアンカーボルト６０の上端部及び柱用ベース６２を露出させているが、凹部８６を省略し、基礎梁８０における仕口部８０Ａの上面からアンカーボルト６０を突出させることも可能である。なお、基礎梁８０における仕口部８０Ａに凹部８６を形成した場合は、当該凹部８６の底壁が基礎梁８０の上端となる。
【００４１】
次に、柱建込み工程について説明する。柱建込み工程では、図６に示されるように、基礎梁８０の上端から露出した柱用ベース６２の上に露出柱脚型の鉄骨造の柱９０を立て、当該柱９０の柱脚部を柱用ベース６２に溶接や図示しないボルト等で接合する。これにより、柱９０の柱脚部が柱用ベース６２を介してアンカーボルト６０に連結され、柱９０の柱脚部が基礎梁８０の仕口部８０Ａに固定される。その後、柱用ベース６２と凹部８６の底壁との隙間にモルタルやグラウト等を充填する。
【００４２】
以上説明したように、本実施形態に係る免震基礎の施工方法によれば、フーチング製作工程において、アンカーボルト６０が設けられたプレキャストコンクリート製のフーチング１０を予め製作しておくことにより、免震装置１８上でのフーチング１０用のコンクリート打設や、アンカーボルト６０の組み込み作業等が不要になる。したがって、施工性が向上する。
【００４３】
また、上部基礎構築工程において、基礎梁８０における仕口部８０Ａの上面に形成した凹部８６からアンカーボルト６０の上端部及び柱用ベース６２が露出するように、型枠内に基礎梁８０用のコンクリートを打設して基礎梁８０を構築する。したがって、凹部８６に露出した柱用ベース６２に柱９０の柱脚部を連結することにより、柱９０を基礎梁８０における仕口部８０Ａに固定することができる。
【００４４】
さらに、本実施形態では、梁主筋配筋工程において、複数のアンカーボルト６０の周囲に基礎梁８０の上下の梁主筋８２Ａ，８２Ｂの一部及びせん断補強筋８４を予め配筋（先組み）しておくことにより、免震装置１８上での上下の梁主筋８２Ａ，８２Ｂ及びせん断補強筋８４の配筋作業が不要になる。したがって、施工性がさらに向上する。また、本実施形態では、安定した広い作業台２０の上で、基礎梁８０の上下の梁主筋８２Ａ，８２Ｂ及びせん断補強筋８４を配筋するため、上下の梁主筋８２Ａ，８２Ｂの配筋効率及び配筋精度が向上すると共に、配筋された上下の梁主筋８２Ａ，８２Ｂの検査作業が容易となる。
【００４５】
しかも、本実施形態では、上下の梁主筋８２Ａ，８２Ｂを配筋する際に、上側の梁主筋８２Ａを支持する架台として基礎補強筋７４を利用している。これにより、上側の梁主筋８２Ａを支持するための専用架台が不要になる。したがって、コスト削減を図ることができる。
【００４６】
また、フーチング製作工程では、架台５０及びアンカーボルト６０の周囲に、上方が開口した複数のＵ字状補強筋７０を平面視にて格子状に配筋すると共に、これらのＵ字状補強筋７０がコンクリート部１２の上面から突出するように、フーチング１０用のコンクリートを打設してコンクリート部１２を形成する。その後、コンクリート部１２の上面から突出したＵ字状補強筋７０における開口側端部７０Ａ間に上部補強筋７２を渡して、枠状の基礎補強筋７４を形成する。
【００４７】
このように、上方が開口したＵ字状補強筋７０を用いたことにより、作業者が上方の開口からＵ字状補強筋７０の内側に手を入れ易くなる。したがって、下方が開口したＵ字状補強筋を用いた場合と比較して、複数のＵ字状補強筋７０の配筋作業が容易となる。
【００４８】
また、フーチング１０用のコンクリートを打設した後に、各Ｕ字状補強筋７０における開口側端部７０Ａ間に上部補強筋７２を渡すことにより、フーチング１０用のコンクリートを打設した後でも、Ｕ字状補強筋７０の開口側端部７０Ａの位置調整等を容易に行うことができる。したがって、Ｕ字状補強筋７０の折返し部７０Ｂと上部補強筋７２の折返し部７２Ｂとの連結作業が容易となる。
【００４９】
さらに、Ｕ字状補強筋７０及び上部補強筋７２によって枠状の基礎補強筋７４を形成することにより、フーチング１０及び基礎梁８０の仕口部８０Ａに対する補強効果が向上する。
【００５０】
さらにまた、基礎スラブ１４等の施工と並行してフーチング１０を製作することにより、免震装置１８上でフーチング１０を施工する場合と比較して、工期の短縮化及び作業工数の平準化を図ることができる。
【００５１】
次に、上記実施形態の変形例について説明する。
【００５２】
上記実施形態では、フーチング製作工程において、フーチング１０のコンクリート部１２の上面に、架台５０を介してアンカーボルト６０を設けた例を示したが、これに限らない。例えば、アンカーボルト６０の一部（下部や下端部）をコンクリート部１２に埋設することにより、コンクリート部１２にアンカーボルト６０を一体化させても良い。つまり、上記実施形態におけるフーチング１０に設けられたアンカーボルト６０とは、コンクリート部１２に埋設された架台５０等の支持部材に支持されたアンカーボルト６０や、コンクリート部１２の上面から突出するようにその一部がコンクリート部１２に埋設されたアンカーボルト６０等を含む概念である。
【００５３】
また、フーチング製作工程では、必ずしもコンクリート部１２の全体（全部）を形成する必要はなく、例えば、フーチング設置工程の後にコンクリート部１２の一部を形成しても良いし、上部基礎構築工程において基礎梁８０の施工と同時にコンクリート部１２の一部を形成しても良い。
【００５４】
また、上記実施形態では、柱用ベース６２を介して柱９０をアンカーボルト６０に連結した例を示したが、これに限らない。柱用ベース６２とは別の連結部材を介して柱９０をアンカーボルト６０に連結しても良いし、柱９０をアンカーボルト６０に直接連結しても良い。
【００５５】
また、上記実施形態では、アンカー部材として、アンカーボルト６０を例に説明したが、これに限らない。アンカー部材は、基礎梁８０の仕口部８０Ａに一部が埋設され、当該仕口部８０Ａに柱９０を固定（連結）可能な部材であれば良く、例えば、Ｌ型やＪ型等の一般的なコンクリート用アンカーでも良い。また、基礎梁８０の仕口部８０Ａから根巻きコンクリート部を立ち上げ、当該根巻きコンクリート部に柱９０の柱脚部を埋設する場合は、根巻きコンクリート部と仕口部８０Ａとに亘って配筋される補強筋等をアンカー部材としても良い。さらに、後述するように、基礎梁８０の仕口部８０Ａの上に鉄筋コンクリート造等の柱を立てる場合は、柱の柱主筋の一部をアンカー部材としても良い。
【００５６】
また、上記実施形態では、フーチング設置工程の前に、梁主筋配筋工程を実施したが、フーチング設置工程と上部基礎構築工程との間で梁主筋配筋工程を実施しても良い。
【００５７】
また、上記実施形態では、フーチング製作工程において、アンカーボルト６０の周囲に基礎補強筋７４を配筋した例を示したが、基礎補強筋７４の配筋方法は適宜変更可能である。例えば、コンクリート部１２を形成する前に、Ｕ字状補強筋７０の開口側端部７０Ａに上部補強筋７２を渡しても良いし、アンカーボルト６０の周囲に下方が開口したＵ字状補強筋を配筋しても良い。また、基礎補強筋７４は、必要に応じてアンカーボルト６０の周囲に配筋すれば良く、適宜省略可能である。さらに、基礎補強筋７４に替えて、一般的な補強筋を配筋することも可能である。
【００５８】
また、上記実施形態では、上部基礎構築工程において、フーチング１０の上に鉄筋コンクリート造の基礎梁８０を構築した例に説明したが、これに限らない。基礎梁８０は、鉄筋コンクリート造に限らず、コンクリート造、鉄骨コンクリート造、プレストレスコンクリート造等であっても良い。また、上部基礎としては、例えば、コンクリート造、鉄筋コンクリート造等の基礎スラブであっても良い。
【００５９】
また、上記実施形態では、柱建込み工程において、基礎梁８０の仕口部８０Ａの上に鉄骨造の柱９０を立てた例を示したが、これに限らない。柱は、鉄骨造に限らず、コンクリート造、鉄筋コンクリート造、鉄骨コンクリート造、プレストレスコンクリート造、ＣＦＴ（Ｃｏｎｃｒｅｔｅ  Ｆｉｌｌｅｄ  Ｓｔｅｅｌ  Ｔｕｂｅ）造等であっても良い。また、鉄筋コンクリート造等の柱の場合は、例えば、基礎梁８０の仕口部８０Ａから上方へ突出するアンカーボルト６０の上部を柱に埋設することにより、アンカーボルト６０と柱とを連結すれば良い。
【００６０】
さらに、上記実施形態では、フーチング１００にアンカー部材としてのアンカーボルト６０を設けた例を示したが、これに限らない。フーチング１００には、免震装置１８上に立てられる柱を構成する柱部材を設けることも可能である。
【００６１】
具体的には、図７に示されるように、フーチング１００のコンクリート部１２の上面には、架台５０を介して柱部材１０２が設けられている。柱部材１０２は、基礎梁８０の仕口部８０Ａに柱脚部が埋設される柱脚埋め込み型の柱９２の下部を構成するものであり、その上端部に柱９２の上部を構成する他の柱部材（図示省略）が連結される。
【００６２】
この柱部材１０２は、角形鋼管で形成された本体部１０４と、本体部１０４の下端に設けられたベースプレート１０６とを有している。本体部１０４の外面には、応力伝達手段としての複数のスタッド１０８が設けられている。これらのスタッド１０８により、柱部材１０２と基礎梁８０の仕口部８０Ａとの一体性が高められている。
【００６３】
このように構成された柱部材１０２は、前述したフーチング製作工程において、アンカーボルト６０に替えて架台５０に立てた状態で取り付けられる。なお、図７では、Ｕ字状補強筋７０の図示が省略されている。そして、柱部材１０２の周囲に前述した上部補強筋７２及び梁主筋８２Ａ，８２Ｂ（図４参照）を配筋した後、フーチング設置工程においてフーチング１００を免震装置１８の上に設置し、上部基礎構築工程において基礎梁８０を構築する。
【００６４】
上部基礎構築工程では、フーチング１００の上に、仕口部８０Ａの上端から柱部材１０２の上端部が露出するようにコンクリートを打設して基礎梁８０を構築する。これにより、仕口部８０Ａの上端から露出した柱部材１０２の上端部に他の柱部材を連結することができる。したがって、柱脚埋め込み型の柱９２の施工性を向上させることができる。
【００６５】
なお、柱部材１０２は、上記実施形態におけるアンカーボルト６０と同様に、その一部（下部や下端部）をコンクリート部１２に埋設することにより、コンクリート部１２と一体化させても良い。つまり、フーチング１００に設けられた柱部材１０２とは、コンクリート部１２に埋設された架台５０等の支持部材に支持された柱部材１０２や、コンクリート部１２の上面から突出するようにその一部がコンクリート部１２に埋設された柱部材１０２等を含む概念である。また、上記各種の変形例は、柱部材１０２が設けられたフーチング１００にも適宜適用可能である。
【００６６】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００６７】
１０    プレキャストコンクリートフーチング（フーチング）
１２    コンクリート部
１４    基礎スラブ（下部基礎）
１６    下側フーチング（下部基礎）
１８    免震装置
１８Ａ  上部フランジ
３０    ベースプレート（固定面）
５０    架台
６０    アンカーボルト（アンカー部材）
７０    Ｕ字状補強筋
７０Ａ  開口側端部
７２    上部補強筋
８０    基礎梁（上部基礎）
８２Ａ  梁主筋
８２Ｂ  梁主筋
９０    柱
９２    柱
１００  フーチング
１０２  柱部材
【図１】
2014095201.tif 000003
【図２】
2014095201.tif 000004
【図３】
2014095201.tif 000005
【図４】
2014095201.tif 000006
【図５】
2014095201.tif 000007
【図６】
2014095201.tif 000008
【図７】
2014095201.tif 000009